(57)【特許請求の範囲】
【請求項１】
上流端が給水回路に接続される給水配管接続口となった冷水回路と、
上流端が温水供給装置からの温水が流れる上流側温水回路に接続される温水配管接続口となった温水回路と、
前記冷水回路と前記温水回路が合流する合流点からその下流側の給湯器接続口に繋がり且つ混合水温センサが設けられた混合水回路と、
前記合流点に於ける前記温水と前記冷水回路の冷水の混合割合を調整する湯水混合器とを具備し、
前記混合水温度センサの検知温度が前記給湯器接続口に接続される給湯器の給湯温度設定器で設定された給湯設定温度Ｓになるように前記湯水混合器が制御される、給湯器用湯水混合ユニットに於いて、
前記給湯器の燃焼可能な範囲内で定められた特定燃焼量に対応する発熱量Ｗを前記合流点を流れる混合水の流量Ｑで割り算して上昇温度ΔＴを求める上昇温度演算手段と、
前記上昇温度ΔＴを前記給湯設定温度Ｓから減算して補正温度ＭＴを求める補正温度設定手段を設け、
前記混合水中に於ける前記温水の混合割合が最大になるように前記湯水混合器を制御しても前記混合水温センサの検知温度が前記給湯設定温度Ｓ未満の場合には、前記混合水温センサの検知温度が前記補正温度ＭＴに等しくなるように前記湯水混合器の動作を制御する混合器制御手段を具備する、給湯器用湯水混合ユニット。
【請求項２】
請求項１に記載の給湯器用湯水混合ユニットに於いて、
前記特定燃焼量は、前記燃焼可能な範囲に於ける最小燃焼量である、給湯器用湯水混合ユニット。
【請求項３】
請求項１又は請求項２に記載の給湯器用湯水混合ユニットに於いて、
前記混合水の流量Ｑを検知する水量センサが前記混合水回路に設けられている、給湯器用湯水混合ユニット。
【請求項４】
請求項１から請求項３の何れかに記載の給湯器用湯水混合ユニットに於いて、
前記温水回路には湯温センサが設けられており、
前記湯温センサの検知温度が前記給湯設定温度Ｓ以上の場合は、前記給湯器のガスバーナの燃焼を禁止する燃焼禁止信号を前記給湯器に出力し、
前記混合水中に於ける前記温水の混合割合が最大になるように前記湯水混合器を制御しても前記混合水温センサの検知温度が前記給湯設定温度Ｓ未満の場合には前記燃焼禁止信号の出力を解除する、給湯器用湯水混合ユニット。
【請求項５】
請求項１から請求項４の何れかに記載の給湯器用湯水混合ユニットに於いて、
前記混合水の流量Ｑが基底流量未満になるまで、又は、前記温水回路に設けられた湯温センサの検知温度が前記給湯設定温度Ｓよりも一定以上高温になるまで、若しくは、前記給湯器の運転スイッチがＯＦＦ操作されるまで、前記混合水温センサの検知温度が前記補正温度ＭＴに等しくなるように前記湯水混合器の動作を制御する、給湯器用湯水混合ユニット。
【請求項６】
請求項１から請求項５の何れかに記載の給湯器用湯水混合ユニットに於いて、
前記温水回路を開閉する安全弁が設けられており、
前記混合水中に於ける前記温水の混合割合が最大になるように前記湯水混合器を制御しても前記混合水温センサの検知温度が「給湯設定温度Ｓ―異常判定温度」未満の場合には、表示器に異常を表示させると共に前記安全弁を閉弁させる、給湯器用湯水混合ユニット。
【請求項７】
請求項１から請求項５の何れかに記載の給湯器用湯水混合ユニットに於いて、
前記冷水回路の途中であって前記湯水混合器より上流側に位置する部分と、前記混合水回路とを繋ぐバイパス回路と、
前記バイパス回路を閉状態に維持するバイパス弁が設けられており、
前記混合水中に於ける前記温水の混合割合が最大になるように前記湯水混合器を制御しても前記混合水温センサの検知温度が「給湯設定温度Ｓ―異常判定温度」未満の場合には、表示器に異常を表示させると共に前記安全弁を開弁させる、給湯器用湯水混合ユニット。
【発明の詳細な説明】
【０００１】
【発明の属する技術分野】
本発明は、例えば太陽熱温水器等の自然エネルギーを利用した温水供給装置や、各種廃熱を利用した温水供給装置を給湯器に接続する為の給湯器用湯水混合ユニットに関するものである。
【０００２】
【従来の技術】
太陽熱温水器は、天候等により目的温度の温水が取り出せない為に、給湯器を補助熱源として接続してエネルギー資源の有効利用を図れるようにした給湯システムがあり、この給湯システムとして、特開平９−８９２８１号公報に記載されたものがある。
【０００３】
これは、図４に現れる概略構成を有しており、太陽熱温水器(5)から引き出された上流側温水回路(56)は、本発明の対象たる給湯器用湯水混合ユニット(1)の温水回路(14)に接続されている。又、上水道に繋がる給水回路(10)は給湯器用湯水混合ユニット(1)の冷水回路(15)に接続されていると共に、該冷水回路(15)に配設された冷水調節弁(24)と温水回路(14)に配設された温水調節弁(25)から構成される湯水混合器(20)を具備している。
【０００４】
又、温水回路(14)と冷水回路(15)の合流点から下流側に延長する湯水混合回路(29)には、混合水温センサ(33)と水流スイッチ(90)が配設されている。
上記湯水混合回路(29)は給湯器(7)の水入口(77)に配管接続されていると共に、前記給湯器(7)から浴槽(81)やシャワー(89)等に給湯されるようになっている。
【０００５】
このものでは、給湯器(7)用のリモコン(71)で給湯温度を設定すると、該設定された温度（以下、「給湯設定温度」という。）が給湯器用湯水混合ユニット(1)の制御装置(11)に送信される。すると、該制御装置(11)は湯水混合器(20)の冷水調節弁(24)や温水調節弁(25)の開度を調整することにより、太陽熱温水器(5)からの温水と給水回路(10)からの冷水の混合割合を調整し、これにより、混合水温センサ(33)が検知する混合水の温度を給湯設定温度に一致させる。
すると、給湯器用湯水混合ユニット(1)から流出する給湯設定温度の温水が燃焼停止状態に維持された給湯器(7)を介してシャワー(89)等に供給される。
【０００６】
【発明が解決しようとする課題】
しかしながら、上記従来のものでは、温水供給装置から供給される温水が給湯設定温度にほぼ一致する条件下では、給湯設定温度の温水が給湯場所に供給できない場合があるという問題があった。
【０００７】
上記問題点について更に詳述すると、太陽熱温水器(5)から供給される温水の温度が給湯設定温度に略一致する場合は、湯水混合器(20)は太陽熱温水器(5)からの温水の混合割合を略最大にするように動作する。具体的には、温水調節弁(25)が略最大開度に調整される一方、冷水調節弁(24)が略最小開度に調整され、これにより、温水の混合割合をほぼ最大にする。
【０００８】
ところが、冷水調節弁(24)は最小開度になっても冷水回路(15)は完全に遮断されず、若干の冷水が冷水調節弁(24)から下流側にリークする。即ち、冷水調節弁(24)に内蔵された弁体が閉位置で固着するのを防止する為、最小開度状態でも前記弁体が弁座部に密着しないように構成されており、これにより、前記弁体と弁座部との間には微小な間隙が形成されるようになっている。従って、該間隙を介して冷水が下流側に不可避的にリークするのである。又、製造誤差等によって冷水調節弁(24)の開度が十分に小さくならない場合は、上記リーク量が一層多くなる。
【０００９】
すると、上記リークした冷水の混入によって給湯器用湯水混合ユニット(1)から流出する温水が給湯設定温度より若干低温になる場合がある。
この場合、温水回路(14)の温水（太陽熱温水器(5)からの温水）が給湯設定温度以上の時には給湯器(7)に燃焼禁止信号を出力する形式の給湯器用湯水混合ユニットでは、前記給湯器(7)が消火状態に維持されることから、給湯場所へは給湯設定温度より若干低温の温水しか供給できず、給湯器(7)の機能が使えない状態に陥ってしまう。
【００１０】
一方、上記給湯器(7)に前記燃焼禁止信号を出力しない形式の給湯器用湯水混合ユニットからでは、給湯器用湯水混合ユニットから給湯器(7)に供給される温水が前記給湯設定温度より若干低温の場合、特に、小量給湯の場合には、給湯器(7)のガスバーナを最小燃焼量で燃焼させても、給湯器(7)からの出湯温度が上記給湯設定温度を超えて高温になってしまう不都合が生じる。
【００１１】
本発明は、かかる点に鑑みて成されたもので、
『上流端が給水回路に接続される給水配管接続口となった冷水回路と、
上流端が温水供給装置からの温水が流れる上流側温水回路に接続される温水配管接続口となった温水回路と、
前記冷水回路と前記温水回路が合流する合流点からその下流側の給湯器接続口に繋がり且つ混合水温センサが設けられた混合水回路と、
前記合流点に於ける前記温水と前記冷水回路の冷水の混合割合を調整する湯水混合器とを具備し、
前記混合水温度センサの検知温度が前記給湯器接続口に接続される給湯器の給湯温度設定器で設定された給湯設定温度Ｓになるように前記湯水混合器が制御される、給湯器用湯水混合ユニット』に於いて、温水供給装置から流出する温水が給湯設定温度に略一致する条件下に於いて、前記給湯設定温度の温水が給湯器から取り出せるようにすることをその課題とする。
【００１２】
【課題を解決するための手段】
[１項]
上記課題を解決するための本発明の技術的手段は、
『前記給湯器の燃焼可能な範囲内で定められた特定燃焼量に対応する発熱量Ｗを前記合流点を流れる混合水の流量Ｑで割り算して上昇温度ΔＴを求める上昇温度演算手段と、
前記上昇温度ΔＴを前記給湯設定温度Ｓから減算して補正温度ＭＴを求める補正温度設定手段を設け、
前記混合水中に於ける前記温水の混合割合が最大になるように前記湯水混合器を制御しても前記混合水温センサの検知温度が前記給湯設定温度Ｓ未満の場合には、前記混合水温センサの検知温度が前記補正温度ＭＴに等しくなるように前記湯水混合器の動作を制御する混合器制御手段を具備する』ことである。
【００１３】
ここで、「温水の混合割合が最大になるように」とは、冷水が流れる冷水側回路を全閉に設定すると共に温水回路側を最大開度に設定する場合だけでなく、冷水回路側を全閉にして温水回路を半開等の中間開度にする場合を含む概念である。
上記技術的手段に記載した混合水の流量Ｑは、本発明に係る給湯器用湯水混合ユニットに水量センサを内蔵させてこの水量センサで計測したものであっても良いが、給湯器に内蔵された水量センサで計測したものであってもよい。
【００１４】
上記技術的手段は、次のように作用する。
温水供給装置からの温水が給湯設定温度Ｓと略一致する場合は、既述従来のものと同様に、温水供給装置から供給される温水の混合割合をほぼ最大にするように湯水混合器が動作する。
【００１５】
ところが、この状態でも冷水回路側からのリーク水の混入によって混合水が給湯設定温度Ｓ未満になる場合には、混合水温センサの検知温度が上記給湯設定温度Ｓより低い補正温度ＭＴに等しくなるように湯水混合器が混合器制御手段で制御される。
【００１６】
具体的には、混合水回路を流れる混合水の流量Ｑが水量センサで検知される一方、給湯器の燃焼可能な範囲内で定められた特定燃焼量に対応する発熱量Ｗを前記流量Ｑで割り算して上昇温度ΔＴを求める演算が上昇温度演算手段で実行される。
【００１７】
即ち、上記流量Ｑの混合水を上記特定燃焼量で動作する給湯器で加熱した場合にこれを加熱昇温できる上昇温度ΔＴが演算される。すると、給湯器の給湯設定温度Ｓよりも前記上昇温度ΔＴだけ低い補正温度ＭＴの混合水を給湯器に給湯できれば、これを上記特定燃焼量で動作する給湯器で上昇温度ΔＴだけ加熱昇温させて給湯設定温度Ｓまで昇温させ得ることが分かる。
【００１８】
そこで、補正温度設定手段は、上記上昇温度ΔＴを給湯設定温度Ｓから減算して補正温度ＭＴを求める演算を実行する一方、混合水温センサの検知温度が前記補正温度ＭＴに等しくなるように湯水混合器の動作が制御される。
【００１９】
これにより、上記特定燃焼量で動作する給湯器によって前記混合水が給湯設定温度Ｓまで加熱昇温され、予期しない高温水が給湯器から給湯器から流出する危険がない。
【００２０】
尚、混合水の温度が上記補正温度ＴＭになるように湯水混合器を制御しても、該補正温度の混合水が得られない場合（温水供給装置からの温水が給湯設定温度Ｓよりも相当低温である場合等）には、給湯器の本来的な機能によって上記混合水が給湯設定温度Ｓまで加熱昇温される。
【００２１】
[２項]
前記１項に於いて、
『前記特定燃焼量は、前記燃焼可能な範囲に於ける最小燃焼量である』ものでは、混合水の温度が上記給湯設定温度Ｓより若干低い場合には、最小燃焼量で動作する給湯器によって前記混合水が給湯設定温度Ｓまで加熱昇温される。このように制御することによって、温水供給装置の温水を冷水で過剰に希釈しないようにし、該冷水の混合割合を最小限に抑えることができる。
【００２２】
[３項]
前記１項又は２項に於いて、
『前記混合水の流量Ｑを検知する水量センサが前記混合水回路に設けられている』ものでは、温水供給装置の接続を予定していない既存の給湯器に組み込まれた水量センサが出力する流量信号のデータ形式と本発明の給湯器用湯水混合ユニットで処理する流量信号のデータ形式が異なっている場合でも、本発明のソーラ接続ユニットを給湯器に適用することが出来、汎用性のある給湯器用湯水混合ユニットを提供することができる。
【００２３】
[４項]
前記１項から３項に於いて、
『前記温水回路には湯温センサが設けられており、
前記湯温センサの検知温度が前記給湯設定温度Ｓ以上の場合は、前記給湯器のガスバーナの燃焼を禁止する燃焼禁止信号を前記給湯器に出力し、
前記混合水中に於ける前記温水の混合割合が最大になるように前記湯水混合器を制御しても前記混合水温センサの検知温度が前記給湯設定温度Ｓ未満の場合には前記燃焼禁止信号の出力を解除する』ものでは、湯温センサが検知する温水（温水供給装置からの温水）の温度が給湯設定温度Ｓ以上の場合は、ガスバーナの燃焼禁止信号を給湯器に出力するので、前記燃焼禁止信号を受信する給湯器はガスバーナを消火状態に維持する。よって、給湯器用湯水混合ユニットの始動時に、該給湯器用湯水混合ユニットから給湯器までの配管中の冷水に続けて供給される混合温水が給湯器で一時的に加熱昇温されて高温になる心配がない。
一方、前記混合水中に於ける前記温水の混合割合が最大になるように前記湯水混合器を制御しても前記混合水温センサの検知温度が前記給湯設定温度Ｓ未満の場合には前記燃焼禁止信号の出力が解除される。従って、この場合は、上記給湯設定温度Ｓ未満の温水は、給湯器の本来的な機能によって給湯設定温度Ｓまで追焚きされて給湯場所に供給される。
【００２４】
[５項]
前記１項から４に於いて、
『前記混合水の流量Ｑが基底流量未満になるまで、又は、前記温水回路に設けられた湯温センサの検知温度が前記給湯設定温度Ｓよりも一定以上高温になるまで、若しくは、前記給湯器の運転スイッチがＯＦＦ操作されるまで、前記混合水温センサの検知温度が前記補正温度ＭＴに等しくなるように前記湯水混合器の動作を制御する』ものとすることができる。
【００２５】
[６項]
前記１項から５項に於いて、
『前記温水回路を開閉する安全弁が設けられており、
前記混合水中に於ける前記温水の混合割合が最大になるように前記湯水混合器を制御しても前記混合水温センサの検知温度が「給湯設定温度Ｓ―異常判定温度」未満の場合には、表示器に異常を表示させると共に前記安全弁を閉弁させる』ものでは、湯水混合器を制御しても混合水温センサの検知温度が給湯設定温度Ｓよりも相当低温の場合、即ち、混合水温センサの検知温度が「給湯設定温度Ｓ―異常判定温度」未満の場合は、湯水混合器が冷水を殆ど絞れない状態で固着している可能性がある。そこで、かかる場合は、安全弁が遮断され、これにより、温水供給装置からの温水が流れる温水回路が遮断される。これにより、温水供給装置からの温水が冷水回路からの冷水に混合されることなく、該冷水のみが給湯器側へ供給される。従って、以後は、給湯器の本来的な機能によって、前記冷水が給湯設定温度Ｓまで加熱昇温されて適正な給湯動作が行える。
又、混合水温センサの検知温度が「給湯設定温度Ｓ―異常判定温度」未満の場合は、表示器に異常状態を表示させることにより、修理・点検の必要性を喚起することが出来る。
【００２６】
[７項]
前記１項から５項に於いて、
『前記冷水回路の途中であって前記湯水混合器より上流側に位置する部分と、前記混合水回路とを繋ぐバイパス回路と、
前記バイパス回路を閉状態に維持するバイパス弁が設けられており、
前記混合水中に於ける前記温水の混合割合が最大になるように前記湯水混合器を制御しても前記混合水温センサの検知温度が「給湯設定温度Ｓ―異常判定温度」未満の場合には、表示器に異常を表示させると共に前記安全弁を開弁させる』ものでは、混合水温センサの検知温度が「給湯設定温度Ｓ―異常判定温度」未満の場合は、バイパス弁が開弁され、これにより、冷水回路から混合水回路に多量の冷水が流入する。これにより、温度低下された混合水回路の水が給湯器側へ供給され、該水が給湯設定温度Ｓまで追焚きされる。
【００２７】
【発明の効果】
本発明は次の特有の効果を有する。
温水供給装置からの温水の温度が給湯設定温度Ｓに略一致する条件下に於いて、混合水が上記給湯設定温度Ｓより若干低温になる場合は、混合水の温度を前記補正温度ＭＴに調整する。従って、補正温度ＭＴに調整された前記混合水が、特定燃焼量で動作する給湯器によって給湯設定温度Ｓまで加熱昇温され、これにより、給湯器から給湯設定温度Ｓの温水が取り出せる。
又、給湯設定温度Ｓを超える高温水が給湯器から流出する危険が防止できる。
【００２８】
２項のものでは、既述したように、温水供給装置の温水を冷水で過剰に希釈しないから、該冷水の混合割合を最小限に抑えることができる。
【００２９】
３項のものでは、水量センサが混合水回路に配設されているから、給湯器に組み込まれた水量センサの流量信号を利用する必要がなくなる。従って、既存の種々の形式の給湯器に対して適用できる汎用性のある給湯器用湯水混合ユニットを提供することができる。
【００３０】
４項のものでは、温水供給装置からの温水の温度が給湯設定温度Ｓ以上の場合は、ガスバーナの燃焼禁止信号を給湯器に出力する。従って、給湯器用湯水混合ユニットの始動時に、該給湯器用湯水混合ユニットから給湯器までの配管中の冷水に続けて供給される混合温水が給湯器で一時的に加熱昇温されて高温になる心配がない。
【００３１】
６項，７項のものでは、混合水温センサの検知温度が「給湯設定温度Ｓ―異常判定温度」未満の場合は、表示器に異常状態を表示させることにより、修理・点検の必要性を喚起することが出来ると共に、混合水回路から給湯器に供給される水の温度が高温にならないから、給湯器から高温水が流出することによる危険を未然に防止することができる。
【００３２】
【発明の実施の形態】
次に、上記した本発明の実施の形態を図面に従って詳述する。
図１は、本発明の実施の形態に係る給湯器用湯水混合ユニット(1)を用いた給湯システムの概念図であり、太陽熱温水器(5)は給湯器用湯水混合ユニット(1)を介して給湯器(7)に配管接続されている。以下、各部の詳細を説明する。
【００３３】
[太陽熱温水器(5)について]
太陽熱温水器(5)は、太陽熱を吸収する集熱器(50)と貯湯タンク(51)内とを循環するように形成された蓄熱配管(52)を具備しており、該蓄熱配管(52)には膨張タンク(53)と循環ポンプ(54)が配設されている。
又、貯湯タンク(51)の底部には水道配管からの冷水を供給するソーラ用給水管(55)と水抜栓(57)を具備する水抜回路(58)が接続されていると共に、貯湯タンク(51)の頂部からは上流側温水回路(56)が引き出されている。
【００３４】
[給湯器(7)について]
給湯器(7)は、図示しないガスバーナで加熱される熱交換器が内蔵された給湯器本体(70)と、該給湯器本体(70)に電気接続されたリモコン(71)を備えていると共に、該リモコン(71)には、運転スイッチ(72)と、浴槽(81)に湯張りする際に操作する湯張りスイッチ(73)と給湯温度設定器(75)と、更に、給湯器の運転状態等を表示する表示部(74)が設けられている。
又、給湯器本体(70)と浴槽(81)との間は、湯張り及び追焚きに使用される往き管(82)と戻り管(83)で接続されていると共に、更に、給湯器本体(70)から引き出された給湯回路(84)には出湯蛇口(85)が設けられている。
【００３５】
[給湯器用湯水混合ユニット(1)について]
本発明の対象たる給湯器用湯水混合ユニット(1)には、上記太陽熱温水器(5)からの温水が流れる上流側温水回路(56)が接続される温水配管接続口(16)と、既述ソーラ用給水管(55)から分岐した給水回路(10)が接続される給水配管接続口(17)と、更に、給湯器本体(70)の水入口(77)に接続される給湯器接続口(18)が設けられている。
【００３６】
上記温水配管接続口(16)の下流側に形成された温水回路(14)には、バキュームブレーカ(120)と、既述安全弁たる常閉電磁弁(31)と、逆止弁(13)と、更に、湯温センサ(19)が、この順序で上流側から配設されている。又、温水回路(14)の上流端近傍には、通水内の塵芥を除去する機能と回路の排水機能を兼備した水抜栓(21)が設けられている。
【００３７】
一方、冷水回路(15)には、逆止弁(22)と給水温センサ(23)と更に湯水混合器(20)がこの順序で配設されていると共に、該湯水混合器(20)は、温水回路(14)と冷水回路(15)の合流点に配設された温水調節弁(25)とその上流側に於ける冷水回路(15)内に配設された冷水調節弁(24)とから構成されている。そして、上記冷水調節弁(24)と温水調節弁(25)は、これらに対応するパルスモータ(240)(250)の回転によって先端の弁体(241)(251)を弁口(26)(27)に接離させ、これによって、弁口(26)(27)の開度を変化させて流量調節するように構成されている。
【００３８】
又、上記混合水回路(29)には混合水の流量を計測する水量センサ(32)と混合水温センサ(33)と異常監視センサ(34)と更に水抜き栓(35)が設けられており、該水抜き栓(35)は上記混合水回路(29)等の水圧が過剰上昇したときに開弁して圧力を開放する逃がし弁機能を兼備している。又、冷水回路(15)の上流端近傍には、通水の除塵機能と排水機能を兼備した水抜栓(30)が設けられている。
【００３９】
そして、既述湯温センサ(19)，給水温センサ(23)，湯水混合器(20)，常閉電磁弁(31)，水量センサ(32) ，混合水温センサ(33)及び異常監視センサ(34) 等の電気部品は制御装置(11)に電気接続されており、該制御装置(11)によって、湯水混合器(20)の動作が制御されるようになっている。
【００４０】
[給湯動作の実際]
次に、上記給湯システムの動作を説明する。
給湯器用湯水混合ユニット(1)に組み込まれた制御装置(11)には、図２，図３のフローチャートに示す内容の制御動作を実行するマイクロコンピュータが格納されており、以下、本実施の形態に係る給湯システムの動作を図２，図３のフローチャートに従って説明する。
【００４１】
先ず、給湯器(7)のリモコン(71)に設けられた運転スイッチ(72)が操作されたか否かを示す信号が給湯器本体(70)から通信ケーブル(79)を介して給湯器用湯水混合ユニット(1)の制御装置(11)に送信されるのをステップ(ST1)で監視する。
【００４２】
次に、水量センサ(32)が検知する混合水の流量Ｑが基底流量（本実施の形態では、２リットル／分）を超えたか否かがステップ(ST2)で判断される。そして、出湯蛇口(85)の開放操作や湯張りスイッチ(73)の投入によって前記基底流量を超える流量Ｑの混合水が流れている場合はステップ(ST3)で常閉電磁弁(31)を開弁させる。
【００４３】
次に、給湯器(7)のリモコン(71)の給湯温度設定器(75)で設定された給湯設定温度が通信ケーブル(79)を介して制御装置(11)のマイクロコンピュータ内に読み込まれた後に、ステップ(ST4)が実行される。そして、ステップ(ST4)で、湯温センサ(19)の検知温度が「給湯設定温度Ｓ＋α」以上であると判断されると、ステップ(ST5)で給湯器(7)のガスバーナの燃焼禁止信号を通信ケーブル(79)を介して該給湯器(7)に送信する。すると、給湯器(7)のガスバーナは、後述するように燃焼禁止信号が解除されるまでは燃焼禁止状態に維持される。
【００４４】
次に、ステップ(ST6)で、給湯設定温度Ｓが混合水温センサ(33)の検知温度より大きいことが確認されると、更に、ステップ(ST7)で温水調節弁(25)を最大開度に制御したか否かが判断される。尚、温水調節弁(25)の開度はパルスモータ(250)に印加したパルス数によって判断される。そして、上記最大開度に相当する数のパルスをパルスモータ(250)に既に印加済みで温水調節弁(25)を最大開度にしている場合は、更にステップ(ST8)で冷水調節弁(24)を最小開度まで絞ったか否か、即ち、最小開度に相当する数のパルスを冷水調節弁(24)のパルスモータ(240)に印加したか否かを判断する。
【００４５】
そして、冷水調節弁(24)を最小開度まで絞っていることがステップ(ST8)で確認されると、この場合は、混合水回路(29)を流れる混合水は温水混合割合が最大になっているにも関わらず給湯設定温度未満の状態になっている（給湯設定温度未満であることは既にステップ(ST6)で確認されている。）ことが分かる。
【００４６】
そこで、この場合は、冷水調節弁(24)の水漏れを確実に判定する為に、図３のステップ(ST9)で数秒の時間待ちを実行し、その後、ステップ(ST10)で混合水温センサ(33)の検知温度が「給湯設定温度Ｓ−異常判定温度(例えば、１０ｄｅｇ)」より低いか否かを判断し、更に、ステップ(ST11)で給湯器(7)に対して出力していた燃焼禁止信号（ステップ(ST5)で出力した信号）を解除する。すると、給湯器(7)は、給湯器用湯水混合ユニット(1)から供給される水が給湯設定温度Ｓ未満の場合は、該水を給湯設定温度Ｓまで追焚きする動作を実行し得る状態になる。
【００４７】
次に、混合水温センサ(33)の検知温度と比較すべき補正温度ＭＴをステップ(ST12)(ST13)で演算する。即ち、給湯器(7)の燃焼可能な範囲内で定められた特定燃焼量（例えば、給湯器(7)の最小燃焼量より若干大きな燃焼量）で燃焼する給湯器の発熱量Ｗを水量センサ(32) が測定する流量Ｑで割り算して上昇温度ΔＴをステップ(ST12)で求める。又、ステップ(ST13)で、給湯設定温度Ｓから上記上昇温度ΔＴを減算して補正温度ＭＴを求める。すると、該補正温度ＭＴは、給湯器(7)のガスバーナを前記特定燃焼量で燃焼させることによって上記流量Ｑの水を加熱昇温させ得る上昇温度ΔＴだけ、給湯設定温度Ｓよりも低い温度になっている。そこで、ステップ(ST14)〜(ST16)で湯水混合器(20)を制御して混合水温センサ(33)の検知温度を補正温度ＭＴに一致させると、この状態では給湯器(7)の本来的な機能によってこれに内蔵されたガスバーナが前記特定燃焼量で燃焼して上記給湯設定温度Ｓの給湯が行える。即ち、給湯設定温度Ｓに略一致する温度の温水が太陽熱温水器(5)から給湯器用湯水混合ユニット(1)に供給され且つ湯水混合器(20)から上記給湯設定温度Ｓより若干低温の温水が流出する場合に、前記給湯器から前記低温水がそのまま流出したり、熱湯が流出する不都合がない。本実施の形態では、既述上昇温度ΔＴを演算するステップ(ST12)を実行するマイクロコンピュータの機能部が既述技術的手段の項に記載した上昇温度演算手段に対応する。又、補正温度ＭＴを求めるステップ(ST13)の演算を実行するマイクロコンピュータの機能部が既述技術的手段の項に記載の補正温度設定手段に対応する。
【００４８】
尚、湯水混合器(20)を制御して混合水温センサ(33)の検知温度を補正温度ＭＴに一致させる制御は、具体的には次のように行われる。即ち、混合水温センサ(33)の検知する混合水温度が上記補正温度ＭＴより低温の場合はステップ(ST14)からステップ(ST16)に進んで温水調節弁(25)や冷水調節弁(24)が開度調節されて温水の混合割合が増加し、一方、上記混合水温度が前記補正温度ＭＴより高温の場合はステップ(ST14)からステップ(ST15)に進んで温水調節弁(25)や冷水調節弁(24)が開度調節されて温水の混合割合が減少する。
【００４９】
その後、ステップ(ST17)において、水量センサ(32)の検知流量が基底流量（本実施の形態では２リットル／分）未満になるか、又は湯温センサ(19)の検知温度が給湯設定温度Ｓよりも一定以上高温になった場合、若しくはリモコン(71)の運転スイッチ(72)がＯＦＦ操作されたことが確認された場合は、図２のステップ(ST1)に制御動作が戻される。
【００５０】
一方、既述ステップ(ST10)を実行したときに、混合水温センサ(33)の検知温度が「給湯設定温度Ｓ−１０ｄｅｇ」より低いことが確認されると、冷水調節弁(24)の弁体が固着してこれが半開状態等の中間開度に固定されている可能性がある。そこで、かかる場合には、ステップ(ST18)で温水回路(14)中の常閉電磁弁(31)を閉じることによって、太陽熱温水器(5)からの温水の使用を禁止し、これにより、太陽熱温水器(5)からの温水の温度が上昇した場合や給水回路(10)の水圧低下等によって湯水混合器(20)から高温水が流出する危険を確実に防止する。又、リモコン(71)の表示部(71)に異常表示を行い、これにより、給湯器用湯水混合ユニット(1)の修理の必要性を報知する。
【００５１】
尚、既述ステップ(ST8)を実行したときに冷水調節弁(24)が最小開度に制御されていない場合は、ステップ(ST19)で冷水調節弁(24)の開度を１レベル低下させて湯水混合器(20)から流出する温水の温度を若干上昇させる。
又、ステップ(ST7)を実行したときに温水調節弁(25)が最大開度に制御されていない場合は、ステップ(ST20)で温水調節弁(25)の開度を１レベル増加させる。
【００５２】
既述ステップ(ST6)を実行したときに、混合水温センサ(33)の検知温度が給湯設定温度Ｓを超えていると判断された場合は、ステップ(ST21)〜(ST24)で湯水混合器(20)から流出する温水の温度を低下させる。即ち、ステップ(ST21)で冷水調節弁(24)の開度が最大開度に制御されていないと判断されると、ステップ(ST22)で冷水調節弁の開度を１レベル増加させる一方、ステップ(ST23)で温水調節弁(25)が最小開度に制御されていないと判断されると、ステップ(ST24)で温水調節弁(25)の開度を１レベル低下させる。
【００５３】
一方、上記ステップ(ST21)からステップ(ST23)を実行した結果、冷水調節弁(24)が最大開度に制御され且つ温水調節弁(25)が最小開度に制御されていることが確認されると、このように制御しても混合水温センサ(33)の検知温度が給湯設定温度より高温に維持されているのであるから（ステップ(ST6)参照）、係る場合は、上記高温の温水が給湯器(7)に供給されることによる火傷防止等の安全対策を講じる為、ステップ(ST25)〜(ST27)を実行する。具体的には、ステップ(ST25)で混合水温センサ(33)の検知温度が安全温度（例えば６０℃）以下の場合はステップ(ST1)に制御を戻す一方、上記安全温度を超える場合は、ステップ(ST26)で温水回路(14)の常閉電磁弁(31)を閉じると共に、湯水混合器(20)の冷水調節弁(24)を最大開度にし且つ温水調節弁(25)を最小開度に再度制御する。又、リモコン(71)の表示部(74)にエラー表示を行う。そして、水量センサ(32) の検知する混合水の流量Ｑが基底流量以上に維持されている間は上記ステップ(ST26)を繰り返して実行し、基底流量未満になると、ステップ(ST1)に制御動作が戻される。
【００５４】
既述ステップ(ST4)を実行したときに、湯温センサ(19)の検知温度が「給湯設定温度Ｓ＋α」未満であると判断されると、ステップ(ST28)で給湯器(7)のガスバーナの燃焼禁止信号を解除する。その後、ステップ(ST29)で既述上昇温度ΔＴを演算すると共に、ステップ(ST30)で既述補正温度ＭＴを演算し、更に、ステップ(ST31)〜ステップ(ST33)で、混合水温センサ(33)の検知温度が上記補正温度ＭＴに一致するように冷水回路(15)と温水回路(14)を流れる冷水と温水の混合割合を湯水混合器(20)で調節する。
【００５５】
[その他]
▲１▼．上記実施の形態では、給湯器(7)の燃焼可能な範囲内で定められた特定燃焼量に対応する発熱量Ｗを混合水の流量Ｑで割り算して求めた上昇温度ΔＴを給湯設定温度Ｓから減算して補正温度ＭＴを求めた。これに対し、上記燃焼可能な範囲の下限たる最小燃焼量に対応する給湯器(7)の発熱量Ｗminを混合水の流量Ｑで割り算して最小上昇温度ΔＴminを求め、該最小上昇温度ΔＴminを給湯設定温度Ｓから減算して補正温度ＭＴを求めても良い。このようにすると、給湯器(7)のガスバーナを最小燃焼量で燃焼させた状態で給湯設定温度Ｓの給湯が行える無駄に燃料ガスが使用されない。換言すれば、太陽熱温水器(5)の熱エネルギーを最大限に利用することができる。
【００５６】
▲２▼．温水供給装置としては、自然エネルギーを利用した既述太陽熱温水器(5)以外に、各種の廃熱を利用した種々の温水供給装置を適用できる。
【００５７】
▲３▼．上記実施の形態では、混合水回路(29)に配設した水量センサ(32) が検知する流量Ｑに基づいて上昇温度ΔＴを演算したが、上記水量センサ(32) を設けることなく、給湯器(7)の通水回路に配設された水量センサが検知する流量Ｑを利用して前記上昇温度ΔＴを演算してもよい。
【００５８】
▲４▼．上記実施の形態では、ステップ(ST18)やステップ(ST26)に於いて、常閉電磁弁(31)を閉じることによって、太陽熱温水器(5)からの温水が湯水混合器(20)に供給されないようにし、これにより、湯水混合器(20)から冷水が流出するようにて安全状態を確保した。これに対し、図１の想像線で示すように、冷水回路(15)の途中であって湯水混合器(20)より上流側に位置する部分と前記混合水回路(29)とを繋ぐバイパス回路(100)を設けると共に、上記常閉弁(31)に代えて前記バイパス回路(100)を開閉するバイパス弁(101)を設け、該バイパス弁(101)を通常は閉状態に維持しておくと共に上記ステップ(ST18)やステップ(ST26)を実行したときに開状態に維持するようにしてもよい。そして、バイパス弁(101)が開弁したときは、冷水調節弁(24)や温水調節弁(25)の開度の如何に関わらず多量の冷水が冷水回路(15)から混合水回路(29)に流入して安全温度（火傷等の危険がない温度）の水が給湯器(7)側に供給されるようにする。
【図面の簡単な説明】
【図１】本発明の実施の形態を説明する給湯システムの概念図
【図２】本発明の実施形態に係る給湯器用湯水混合ユニット(1)の動作説明図
【図３】本発明の実施形態に係る給湯器用湯水混合ユニット(1)の動作説明図
【図４】従来例の説明図
【符号の説明】
(1)・・・給湯器用湯水混合ユニット
(5)・・・太陽熱温水器
(7)・・・給湯器
(10)・・・給水回路
(14)・・・温水回路
(15)・・・冷水回路
(16)・・・温水配管接続口
(17)・・・給水配管接続口
(19)・・・湯温センサ
(20)・・・湯水混合器
(29)・・・混合水回路
(33)・・・混合水温センサ
(75)・・・給湯温度設定器
【図１】
0003728230.tif 000002
【図２】
0003728230.tif 000003
【図３】
0003728230.tif 000004
【図４】
0003728230.tif 000005